(57)【特許請求の範囲】
【請求項１】
表表紙カバー部と背表紙カバー部と裏表紙カバー部とが一連に配置し、平面視、矩形状の硬質シートからなる書籍カバーであって、
表表紙カバー部の自由端から背表紙カバー部までの長さａと、裏表紙カバー部の自由端から背表紙カバー部までの長さａとが等しく、
表表紙カバー部には、書籍の表表紙を挿入して書籍を保持するための表表紙用の内ポケット部を接合し、接合部分の幅がｄであり、表表紙カバー部は、表表紙用の内ポケット部から表表紙カバー部の自由端に向けて長さｂ延長する張り出し部を有し、
裏表紙カバー部には、書籍の裏表紙を挿入して書籍を保持するための裏表紙用の内ポケット部を接合し、接合部分の幅がｄであり、裏表紙カバー部は、裏表紙用の内ポケット部から裏表紙カバー部の自由端に向けて長さｂ延長する張り出し部を有し、
硬質シートの厚さをｔとし、書籍カバーの天地方向の長さをｈとするとき、ｈｔ3／（ａ＋ｂ＋ｄ）2が、３．７×１０-4ｍｍ2〜２．４×１０-2ｍｍ2である書籍カバー。
【請求項２】
前記硬質シートは、ＪＩＳ  Ｋ７１６１-1994による引張弾性率が、１５００ＭＰａ〜２４００ＭＰａである請求項１に記載の書籍カバー。
【請求項３】
前記硬質シートは、厚さｔが０．４５ｍｍ〜１．２ｍｍである請求項１または２に記載の書籍カバー。
【請求項４】
ｂ＋ｄが１０ｍｍ〜３０ｍｍである請求項１〜３のいずれかに記載の書籍カバー。
【請求項５】
前記書籍カバーは、天側と地側とに各々、内ポケット部から外方へ長さｃ延長する張り出し部を備え、ｃ＋ｄが１０ｍｍ〜３０ｍｍである請求項１〜４のいずれかに記載の書籍カバー。
【請求項６】
前記書籍カバーは、さらにケース部を備え、該ケース部は、前記表表紙カバー部と前記裏表紙カバー部とを折り重ねた書籍カバーを挿入することにより書籍カバーを収容する請求項１〜５のいずれかに記載の書籍カバー。
【発明の詳細な説明】
【技術分野】
【０００１】
本発明は、書籍カバーに関し、特に、書籍に付けたインデックスタブを保護する機能が大きい書籍カバーに関する。
【背景技術】
【０００２】
書籍カバーは、紙、皮革またはプラスティック製のシートであり、本やノート等の書籍に装着されて、書籍を保護し、書籍の破損と汚れを防止する。書籍カバーは、一般に、表表紙カバー部と背表紙カバー部と裏表紙カバー部からなり、それぞれ書籍の表表紙と背表紙と裏表紙を覆う構造を有する。また、書籍に装着した後、書籍から不用意に剥がれないようにするため、書籍の表紙を挿入する内ポケット構造を設ける等の工夫が施されている態様が多い。
【０００３】
図３は、書籍を購入するときに、書店でしばしば見かける書籍カバーの装着方法を示す説明図である。まず、図３（ａ）に示すように、書籍カバー３０の上縁部３０ａと下縁部３０ｂを、書籍３１の縦方向の長さＴに合わせて内側に折り曲げる。図３（ｂ）は、書籍カバー３０の上縁部３０ａと下縁部３０ｂとを、内側に折り曲げた後、書籍カバー３０上に書籍３１を再度配置した図である。つぎに、書籍３１を開け、図３（ｃ）に示すように、裏表紙３１ａの横方向の長さＹに合わせて、書籍カバー３０の左側縁部３０ｃを内側に折り曲げる。
【０００４】
その後、上縁部３０ａと下縁部３０ｂと左側縁部３０ｃにより形成される内ポケット部３２に、裏表紙３１ａを挿入する。同様にして、図３（ｄ）に示すように、書籍カバー３０の右側縁部３０ｄを内側に折り曲げて、上縁部３０ａと下縁部３０ｂと右側縁部３０ｄにより形成される内ポケット部３３に、表表紙３１ｂを挿入する。かかる方法により、図３（ｅ）に示すように、書籍カバーを書籍に装着し、書籍カバーにより書籍を保護することができる。
【０００５】
図４は、従来の書籍カバーの他の態様を示す平面図である（特許文献１参照）。図４に示すように、書籍カバー４０は、書籍４１の裏表紙４１ａから背表紙を経て表表紙４１ｂまでを被う。書籍カバー４０は、裏表紙４１ａを挿入する内ポケット部４２を有する。また、書籍カバー４０は、書籍４１の表表紙４１ｂを挿通する帯部４３を有し、帯部４３側に余剰部４４を有する。書籍カバー４０を書籍４１に装着するときは、裏表紙４１ａを内ポケット部４２に挿入し、表表紙４１ｂを帯部４３に挿通し、表表紙４１ｂの幅を越える余剰部４４は、内側に折り曲げて、表表紙４１ｂと帯部４３の間に差し込むように構成されている。
【０００６】
図５は、従来の書籍カバーの他の態様を示す平面図である（特許文献２参照）。図５に示すように、書籍カバー５０は、書籍５１の裏表紙５１ａと背表紙５１ｃと表表紙５１ｂを被う。書籍カバー５０は、裏表紙５１ａを挿入する内ポケット部５２と、表表紙５１ｂを挿入する内ポケット部５３と、余剰部５４を備える。裏表紙５１ａを内ポケット部５２に挿入し、表表紙５１ｂを内ポケット部５３に挿入することにより、書籍カバー５０を書籍５１に装着する。装着後、書籍５１のページ間に余剰部を挿入し、しおりとして利用することができる。
【先行技術文献】
【特許文献】
【０００７】
【特許文献１】特開２００３−７２２６１号公報
【特許文献２】特開２００９−１９６１００号公報
【発明の概要】
【発明が解決しようとする課題】
【０００８】
書籍のうち、法文集、辞書、手帳、取扱説明書、論文集等においては、参照したいページを素早く参照できるようにするために、参照したいページにインデックスタブを付けることが多い。インデックスタブには、ページの索引の利便性を高めるために、当該ページの概要をメモとして明示することが多く、メモを明示するためのスペースを確保する観点から、インデックスタブは、通常、耳状の出っ張り形状である。また、インデックスタブが多数に上る場合や、複数のインデックスタブを分類したいような場合には、書籍の側面のほか、天面または地面にもインデックスタブを配置することがある。
【０００９】
しかし、従来の書籍カバーでは、構造上、インデックスタブが書籍カバーの外方に突き出るため、書籍の保管、書棚への収納および持ち運びに際して、インデックスタブが破損することが多く、汚れが付きやすいという欠点がある。この場合、書籍カバーに単に張り出し部を設けるのみでは、書籍の自重により書籍カバーが坐屈し、インデックスタブを十分に保護することができない。一方、書籍カバーを剛直な材質とし、または厚くするのみでは、ハンディーで、お洒落で、使い勝手の良い書籍カバーを得ることができない。
【００１０】
本発明の課題は、書籍にインデックスタブを付けても、書籍の保管、書棚への収納および持ち運びに際して、インデックスタブを保護することができる書籍カバーを提供することにある。また、取り扱いやすく、ローコストな書籍カバーを提供することを解決すべき課題とする。
【課題を解決するための手段】
【００１１】
本発明の書籍カバーは、表表紙カバー部と背表紙カバー部と裏表紙カバー部とが一連に配置し、平面視、矩形状の硬質シートからなる。表表紙カバー部の自由端から背表紙カバー部までの長さａが、裏表紙カバー部の自由端から背表紙カバー部までの長さａと等しい。表表紙カバー部には、書籍の表表紙を挿入して書籍を保持するための表表紙用の内ポケット部を接合し、接合部分の幅がｄであり、表表紙カバー部は、表表紙用の内ポケット部から表表紙カバー部の自由端に向けて長さｂ延長する張り出し部を有する。一方、裏表紙カバー部には、書籍の裏表紙を挿入して書籍を保持するための裏表紙用の内ポケット部を接合し、接合部分の幅がｄであり、裏表紙カバー部は、裏表紙用の内ポケット部から裏表紙カバー部の自由端に向けて長さｂ延長する張り出し部を有する。また、硬質シートの厚さをｔとし、書籍カバーの天地方向の長さをｈとするとき、ｈｔ3／（ａ＋ｂ＋ｄ）2が、３．７×１０-4ｍｍ2〜２．４×１０-2ｍｍ2である。
【００１２】
硬質シートは、ＪＩＳ  Ｋ７１６１-1994による引張弾性率が、１５００ＭＰａ〜２４００ＭＰａであるシートを好ましく使用することができる。硬質シートの厚さｔは、０．４５ｍｍ〜１．２ｍｍが好ましく、ｂ＋ｄは、１０ｍｍ〜３０ｍｍが好ましい。また、書籍カバーは、天側と地側とに各々、内ポケット部から外方へ長さｃ延長する張り出し部を備え、ｃ＋ｄが１０ｍｍ〜３０ｍｍである態様が好適である。さらに、書籍カバーがケース部を備え、ケース部が、表表紙カバー部と裏表紙カバー部とを折り重ねた書籍カバーを挿入することにより書籍カバーを収容する態様が好ましい。
【発明の効果】
【００１３】
本発明の書籍カバーは、書籍に付けたインデックスタブを保護する機能が大きく、軽装でハンディーな書籍カバーを提供することができる。
【図面の簡単な説明】
【００１４】
【図１】本発明の書籍カバーの説明図である。
【図２】ケース部を備える本発明の書籍カバーの斜視図である。
【図３】書籍を購入するときに、書店でしばしば見かける書籍カバーの装着方法を示す説明図である。
【図４】従来の書籍カバーの他の態様を示す平面図である。
【図５】従来の書籍カバーの他の態様を示す平面図である。
【図６】書籍カバーの座屈を確認するための試験装置の断面図である。
【発明を実施するための形態】
【００１５】
図１は、本発明の書籍カバーの説明図であり、図１（ａ）は、書籍カバー１０の平面図であり、図１（ｂ）は、書籍１に書籍カバー１０を装着したときの斜視図である。本発明の書籍カバー１０は、図１（ａ）に示すように、表表紙カバー部１０ａと、背表紙カバー部１０ｂと、裏表紙カバー部１０ｃとが一連に配置し、平面視、矩形状の硬質シートからなる。矩形とは、長方形または正方形を意味する。また、表表紙カバー部１０ａの自由端１０ａ１から背表紙カバー部１０ｂまでの長さａと、裏表紙カバー部１０ｃの自由端１０ｃ１から背表紙カバー部１０ｂまでの長さａとが等しい。
【００１６】
図１に示すように、表表紙カバー部１０ａには、書籍１の表表紙１ａを挿入して書籍を保持するための表表紙用の内ポケット部２を接合し、接合部分の幅がｄである。また、表表紙カバー部１０ａは、表表紙用の内ポケット部２から、表表紙カバー部１０ａの自由端１０ａ１に向けて長さｂ延長する張り出し部４を有する。同様に、裏表紙カバー部１０ｃには、書籍の裏表紙を挿入して書籍を保持するための裏表紙用の内ポケット部３を接合し、接合部分の幅がｄである。また、裏表紙カバー部１０ｃは、裏表紙用の内ポケット部３から裏表紙カバー部１０ｃの自由端１０ｃ１に向けて長さｂ延長する張り出し部５を有する。
【００１７】
書籍カバー１０は、表表紙用の内ポケット部２と裏表紙用の内ポケット部３とを有するため、各々表表紙１ａと裏表紙とを挿入することにより、書籍を確実に保持することができる。また、書籍カバー１０が、かかる張り出し部４，５を有するため、図１（ｂ）に示すように、耳状の出っ張り形状であるインデックスタブ８を付けた書籍１においても、インデックスタブ８が書籍カバー１０の外方に突き出さない。したがって、書籍１の保管、書棚への収納および鞄等に入れて持ち運ぶ際に、書籍カバー１０によりインデックスタブ８を保護することができる。インデックスタブのサイズにより異なるが、インデックスタブを書籍カバーにより保護する点で、ｂ＋ｄは、１０ｍｍ以上が好ましく、１５ｍｍ以上がより好ましい。
【００１８】
図１（ａ）に示すように、書籍カバー１０に使用する硬質シートの高さ、すなわち書籍カバー１０の天地方向の長さをｈとし、厚さをｔとする。また、図１（ｂ）に示すように、書籍１に書籍カバー１０を装着し、書籍１を閉じた後、表表紙カバー部の自由端１０ａ１と裏表紙カバー部の自由端１０ｃ１を下向きに配置し、背表紙カバー部１０ｂが上向きになるように配置する。この状態の表表紙カバー部１０ａと裏表紙カバー部１０ｃの断面二次モーメントＩは、
【００１９】
【数１】
0005575051.tif 000002
である。
【００２０】
また、座屈加重Ｗ，端末係数ｎ、材料の引張弾性率Ｅ、荷重点から下端までの長さＬとの間には、オイラーの式により、
【００２１】
【数２】
0005575051.tif 000003
の関係がある。
【００２２】
上記の配置では、書籍の荷重は、書籍の重心から下向きにかかるため、
【００２３】
【数３】
0005575051.tif 000004
である。
【００２４】
（式１）と（式３）を、（式２）に代入すると、
【００２５】
【数４】
0005575051.tif 000005
である。したがって、座屈荷重Ｗは、ｈｔ3／(ａ＋ｂ＋ｄ)2により変動する。
【００２６】
図１に示すように、書籍１に付けたインデックスタブ８を保護するために、書籍カバー１０に張り出し部４，５を設けた場合、書籍カバーのサイズを適切に設計しないと、保管し、書棚に収納し、または鞄等に入れて持ち運ぶ際に、書籍の自重により書籍カバーが坐屈し、インデックスタブを保護することが難しい。（式４）に示すとおり、座屈荷重Ｗは、硬質シートの厚さｔの３乗に比例し、（ａ＋ｂ＋ｄ）の２乗に反比例する。
【００２７】
書籍カバーを装着する書籍の重量により座屈荷重Ｗの想定値が変化し、これに応じて書籍カバーの設計値が異なる。しかし、Ｂ５，Ｂ６，Ａ６，Ａ５，Ａ４程度のサイズの通常の書籍に装着する書籍カバーの場合、一般的な目安として、座屈荷重Ｗを大きくする点で、硬質シートの厚さｔは０．４５ｍｍ以上が好ましく、０．６ｍｍ以上がより好ましい。また、座屈荷重Ｗを大きくする点と、材料の無駄を省き、コストを低減する点で、ｂ＋ｄは、３０ｍｍ以下が好ましく、２５ｍｍ以下がより好ましい。かかる書籍カバーを設計することにより、書籍の表紙が柔らかく、薄い場合でも、座屈を抑制し、インデックスタブの破損と汚れを防止することができる。
【００２８】
インデックスタブが多数に上る場合や、複数のインデックスタブを分類したい等の場合には、書籍の側面のほか、天面または地面にもインデックスタブを配置することがある。図１（ｂ）には、書籍１の天面と地面の双方にインデックスタブ９を付けた例を示す。かかる態様においても、書籍の保管、書棚への収納および持ち運びに際して、インデックスタブを破損から保護し、汚れを防止する点で、図１（ａ）に示すように、天側と地側とに各々、内ポケット部から外方へ長さｃ延長する張り出し部６，７を備える書籍カバーを装着するのが好ましい。ｃ＋ｄは、インデックスタブを十分に保護する点と、ｈ値を大きくすることにより、式（４）に示す座屈荷重Ｗを大きくする点で、１０ｍｍ以上が好ましく、１５ｍｍ以上がより好ましい。
【００２９】
一方、使い勝手がよく、ハンディーな書籍カバーを提供する点と、材料の無駄を省き、コストを低減する観点から、硬質シートの厚さｔは、１．２ｍｍ以下が好ましく、１．０ｍｍ以下がより好ましい。同様の観点から、ｃ＋ｄは、３０ｍｍ以下が好ましく、２５ｍｍ以下がより好ましい。
【００３０】
書籍の平面視サイズが、Ｂ６，Ｂ５，Ａ６，Ａ５，Ａ４であって、ｄ＝４ｍｍ、ｂ＋ｄ＝２５ｍｍ、ｃ＝０ｍｍであり、硬質シートの厚さｔ＝０．４５ｍｍの場合と、厚さｔ＝１．２ｍｍの場合について、ｈｔ3／（ａ＋ｂ＋ｄ）2の値を表１に示す。
【００３１】
【表１】
0005575051.tif 000006
【００３２】
表１に示すとおり、ｄ＝４ｍｍ、ｂ＋ｄ＝２５ｍｍ、ｃ＝０ｍｍの場合において、ｈｔ3／（ａ＋ｂ＋ｄ）2の最小値４．１１１×１０-4ｍｍ2は、Ａ４サイズでｔ＝０．４５ｍｍのときであり、最大値１．１２２×１０-2ｍｍ2は、Ａ６サイズでｔ＝１．２ｍｍのときである。したがって、ｂ値とｃ値とｄ値により異なるが、一般的には、書籍の表紙が柔らかく、薄い場合においても、書籍カバーの座屈を抑制する観点から、ｈｔ3／（ａ＋ｂ＋ｄ）2は、４．１×１０-4ｍｍ2以上がより好ましい。一方、軽装で、ハンディーな書籍カバーを提供するとともに、張り出し部の長さｂを確保し、インデックスタブを十分に保護する点で、ｈｔ3／（ａ＋ｂ+ｄ）2は１．２×１０-2ｍｍ2以下がより好ましい。
【００３３】
また、書籍の平面視サイズが、Ｂ６，Ｂ５，Ａ６，Ａ５，Ａ４である場合、ｂ値とｃ値とｄ値が一定であるときは、ｈｔ3／（ａ＋ｂ＋ｄ）2が最小となるのは、Ａ４サイズ、ｔ＝０．４５ｍｍのときである。そして、Ａ４サイズ、ｔ＝０．４５ｍｍであり、ｄ＝３ｍｍ、ｂ＋ｄ＝３０ｍｍ、ｃ＝０ｍｍ、ｃ＋ｄ＝３ｍｍのときに、ｈｔ3／（ａ＋ｂ＋ｄ）2が最小値３．７９×１０-4ｍｍ2となる。したがって、書籍の表紙が柔らかく、薄い場合においても、書籍カバーの座屈を抑制する点で、ｈｔ3／（ａ＋ｂ＋ｄ）2は、３．７×１０-4ｍｍ2以上が好ましい。
【００３４】
一方、書籍の平面視サイズが、Ｂ６，Ｂ５，Ａ６，Ａ５，Ａ４である場合、ｂ値とｃ値とｄ値が一定であるときは、ｈｔ3／（ａ＋ｂ＋ｄ）2が最大となるのは、Ａ６サイズ、ｔ＝１．２ｍｍのときである。そして、Ａ６サイズ、ｔ＝１．２ｍｍであり、ｂ＋ｄ＝１０ｍｍ、ｃ＋ｄ＝３０ｍｍのときに、ｈｔ3／（ａ＋ｂ＋ｄ）2が最大値２．３０×１０-2ｍｍ2となる。したがって、張り出し部の長さｂを確保し、インデックスタブを十分に保護する点で、ｈｔ3／（ａ＋ｂ＋ｄ）2は、２．４×１０-2ｍｍ2以下が好ましい。
【００３５】
書籍カバーに使用する硬質シートの材質は、書籍の自重による書籍カバーの坐屈を抑制し、インデックスタブを保護する点で、ＪＩＳ  Ｋ７１６１-1994による引張弾性率（ヤング率）Ｅは、１５００ＭＰａ以上が好ましく、１６００ＭＰａ以上がより好ましい。一方、硬質シートの割れを防止し、耐衝撃性等の強度を維持する点で、ＪＩＳ  Ｋ７１６１-1994による引張弾性率Ｅは、２４００ＭＰａ以下が好ましく、２２００ＭＰａ以下がより好ましい。本明細書において、硬質シートとは、剛性の高いシートを意味する。
【００３６】
ａ値、ｂ値、Ｅ値等を好ましい範囲内で適切に設定することにより、書籍カバーの自由端を下向きに、背表紙を上向きに配置した状態でも、書籍カバーの座屈を抑制することができる。たとえば、Ｂ６サイズでは、好ましくは０．１３ｋｇ〜７．５ｋｇ、より好ましくは０．３８ｋｇ〜３．４ｋｇの書籍を保持することができる。Ｂ５サイズでは、好ましくは０．１１ｋｇ〜５．３ｋｇ、より好ましくは０．３０ｋｇ〜２．５ｋｇの書籍を保持することができる。Ａ６サイズでは、好ましくは０．１４ｋｇ〜９．１ｋｇ、より好ましくは０．４２ｋｇ〜３．９ｋｇの書籍を保持することができる。Ａ５サイズでは、好ましくは０．１２ｋｇ〜６．５ｋｇ、より好ましくは０．３５ｋｇ〜３．０ｋｇの書籍を保持することができる。Ａ４サイズでは、好ましくは０．０９８ｋｇ〜４．６ｋｇ、より好ましくは０．３０ｋｇ〜２．２ｋｇの書籍を保持することができる。
【００３７】
図２は、ケース部を備える本発明の書籍カバーの斜視図である。図２（ａ）に示すように、表表紙カバー部２０ａと裏表紙カバー部２０ｃとを折り重ねた後、書籍カバー２０を矢印の方向にケース部２１へ挿入する。その結果、図２（ｂ）に示すように、書籍カバー２０をケース部２１に収容することができる。書籍カバー２０が、ケース部２１を備えると、ケース部に収容後、書籍カバーの表表紙カバー部２０ａと裏表紙カバー部２０ｂとがケース部２１により、外方から内方に押さえられるため、書籍カバーの座屈および曲げをより一層抑制できる点で好ましい。
【００３８】
ケース部は、書籍カバーをスムーズに挿入し、取り出すことができるように、書籍カバーに比べて、サイズ上、多少大き目に形成する態様が好ましい。図２では、説明のために、ケース部が透明なシートにより形成した例を示すが、不透明なシートにより形成することもできる。ケース部は、書籍カバーを形成する硬質シートと同一のシートにより形成すると、容易に製造できる点で好ましい。
【００３９】
書籍カバーを形成する硬質シートは、機械的強度が大きく、化学的に安定である点で、ポリエステル、ポリアミド、ポリアラミド、ポリエチレンまたはポリプロピレン等のポリオレフィン、ポリスチレン、ポリアクリル酸、ポリメタクリル酸、ポリカーボネート、ポリアセタール、フッ素樹脂、ポリアクリロニトリル、ポリ塩化ビニル、ポリビニルアルコール等の有機系高分子樹脂、紙、皮革等からなるシートが好ましい。この中でも、ポリプロピレンは、表表紙カバー部と背表紙カバー部間、および裏表紙カバー部と背表紙カバー部間における折り曲げ反復性が強い点で好ましい。
【００４０】
図１（ａ）に示すように、表表紙用の内ポケット部２と裏表紙用の内ポケット部３は、表表紙カバー部１０ａと裏表紙カバー部１０ｃと同一のシートにより形成すると、手軽に製造することができる点で好ましい。また、内ポケット部を、剛性の高いシートで形成すると、表表紙カバー部１０ａと裏表紙カバー部１０ｃの剛性を補強することができる点で好ましい。一方、内ポケット部は、書籍の表表紙等を挿入することにより、書籍を保持する機能を発揮する部位である。したがって、軽装でハンディーな書籍カバーを提供するときは、内ポケット部には、厚さ０．１ｍｍ〜０．３ｍｍ程度の薄層シートを好ましく使用することができる。書籍の表表紙等の内側に印刷部分があるときは、内ポケット部は透明なシートにより形成する態様が好ましい。
【００４１】
表表紙用の内ポケット部と表表紙カバー部との接合、および裏表紙用の内ポケット部と裏表紙カバー部との接合は、これらを形成するシートの材質、保持する書籍の重量等に応じて任意の方法を選択することができる。また、接合した部分の幅ｄは、３ｍｍ〜５ｍｍとする態様が好ましい。たとえば、接着剤により接合するときは、アクリル接着剤、塩化ビニル接着剤等の溶剤系接着剤、エポキシ接着剤等の溶液型接着剤、ポリエチレン、ポリプロピレン等のポリオレフィン、ポリアクリル酸メチル等のホットメルト接着剤等を使用することができる。
【００４２】
有機系高分子樹脂シートを使用する場合は、内ポケット部とカバー部との接合を熱溶着または超音波溶着により行うことができる。熱溶着によるときは、２枚のシートを直接、接合することができるが、シートの熱溶着する側に熱溶着樹脂層を形成する態様が好ましい。また、シートと熱溶着樹脂層との接合強度を高める点で、シートと熱溶着樹脂層との間にドライラミネート接着剤層を設ける態様がより好ましい。熱溶着樹脂層は、加熱により溶融し、隣接する２層を相互に溶着する。熱溶着樹脂層には、低密度ポリエチレン、中密度ポリエチレン、高密度ポリエチレン、ポリプロピレン等のポリオレフィン、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、ポリオレフィン系樹脂をアクリル酸、メタクリル酸等の不飽和カルボン酸で変性した酸変性ポリオレフィンを好ましく使用することができる。
【００４３】
また、熱溶着樹脂層には、ポリ酢酸ビニル、ポリ（メタ）アクリル酸、ポリ塩化ビニル、ポリスチレン、ポリアクリロニトリル、アクリロニトリル−スチレン共重合体、アクリロニトリル−スチレン−ブタジエン共重合体、熱溶着性のポリエチレンテレフタレート等からなる樹脂を好ましく使用することができる。熱溶着樹脂層の厚さは、３μｍ〜４０μｍが好ましく、５μｍ〜３０μｍがより好ましい。ドライラミネート接着剤層は、２液硬化型接着剤が好適であり、ポリエステルウレタンポリオール／芳香族ポリイソシアネート系、ポリエーテルポリウレタン／エポキシ系、ポリエーテルウレタンポリオール／脂肪族ポリイソシアネート系、ポリエステル／脂肪族イソシアネート系、ポリエステル／芳香族イソシアネート系が好ましい。ドライラミネート接着剤層は、２ｇ／ｍ2〜２０ｇ／ｍ2が好ましい。
【００４４】
熱可塑性樹脂シート同士を接合するときは、超音波溶着を利用することができる。超音波溶着は、シート同士を超音波振動と加圧により瞬時に溶融し、接合する。超音波溶着機は、電気エネルギーを機械的振動エネルギーに変換し、同時に加圧することにより、２枚の熱可塑性樹脂シートの接合面に摩擦熱を発生させ、樹脂を溶融して接合する。まず、５０／６０Ｈｚ、ＡＣ２００Ｖの電気信号を発振器に送り、たとえば、２０ｋＨｚ、１０００Ｖ程度に増幅する。つぎに、発振器から電気信号を振動子へ伝達し、ピエゾ圧電素子により、電気信号を機械的振動エネルギーに変換し、振動エネルギーによりシートの境界面で強力な摩擦熱が発生し、樹脂の溶融温度まで瞬時に上昇し、１秒程度で溶着が完了する。
【００４５】
図１（ａ）に示すように、表表紙用の内ポケット部２と裏表紙用の内ポケット部３は、入口を斜めにカットする態様、または入口の端部に切り欠き部を設ける態様にすると、書籍の表紙を挿入しやすくなる点で好ましい。一方、内ポケット部の入口を斜めにカットせず、入口を背表紙カバー部に平行にカットする態様、または内ポケット部の面積を広くする態様は、表紙カバー部に対する補強効果を高めることができる点で好ましい。
【００４６】
実施例１
本実施例においては、図１（ａ）に示すように、表表紙カバー部１０ａと背表紙カバー部１０ｂと裏表紙カバー部１０ｃとが一連に配置し、平面視、矩形状の硬質シートからなる書籍カバーを作成した。表表紙カバー部には、書籍の表表紙を挿入して書籍を保持するための表表紙用の内ポケット部２を接合し、裏表紙カバー部には、書籍の裏表紙を挿入して書籍を保持するための裏表紙用の内ポケット部３を接合した。
【００４７】
硬質シートは、ＪＩＳ  Ｋ７１６１-1994による引張弾性率Ｅ＝２０００ＭＰａ＝２００ｋｇ／ｍｍ2、厚さｔ＝０．７５ｍｍであるポリプロピレンシートを使用し、Ｂ６サイズ（１２８ｍｍ×１８２ｍｍ）の書籍に装着するための書籍カバーを作成した。まず、図１（ａ）に示すように、ｂ＝２５ｍｍ、ｃ＝２５ｍｍ、表表紙カバー部と表表紙用の内ポケット部との接合部分の幅ｄ＝３ｍｍ、裏表紙カバー部と裏表紙用の内ポケット部との接合部分の幅ｄ＝３ｍｍとなるように、内ポケット部を接合した。内ポケット部は、上述の硬質シートにより作成した。
【００４８】
ａ＝１２８＋３＋２５＝１５６ｍｍ、ａ＋ｂ＋ｄ＝１５６＋２５＋３＝１８４ｍｍ、ｈ＝２５×２＋３×２＋１８２＝２３８ｍｍであった。自由端−固定端の場合の端末係数ｎ＝０．２５を用いると、ｈｔ3／（ａ＋ｂ＋ｄ）2＝２．９６６×１０-3ｍｍ2となり、表表紙カバー部と裏表紙カバー部の２枚のシートがあるため、（式４）により理論上、Ｗ＝９７５ｇとなる。Ｂ６サイズ（１２８ｍｍ×１８２ｍｍ）の薄手の上質紙（坪量５２．３ｇ／ｍ2）は、１．２１８ｇ／枚であるから、Ｗ＝９７５ｇは、８００枚（×２＝１６００ページ）に相当する。したがって、Ｂ６サイズの上質紙（坪量５２．３ｇ／ｍ2）７８０枚（；１５６０ページ）からなる書籍を作成し、上記の書籍カバーに装着した。なお、インデックスタブは取り付けなかった。
【００４９】
図６は、書籍カバーの座屈を確認するための試験装置の断面図である。図６（ａ）に示す試験装置は、箱体６１の底部に仕切り板６４，６５，６６を固定することにより、幅３ｍｍ程度の溝を形成している。図６（ａ）に示すように、書籍１を装着した書籍カバー１０を箱体６１内に配置するとき、書籍カバー１０の表表紙カバー部１０ａと裏表紙カバー部１０ｂの自由端を溝に挿入する。カバー部の自由端は、溝内で自由に動くことができる。また、箱体６１の上部には、配置した書籍カバー１０が倒れないようにするために、支え板６２，６３を設けた。書籍カバー１０は、支え板６２，６３の間を自由に動くことができる。図６（ａ）に示すように、箱体６１内に書籍カバー１０を配置した後、書籍カバーが坐屈すると、図６（ｂ）に示すような態様となるので、書籍カバーの座屈の有無を確認することができる。なお、書籍の表紙を挿入する内ポケット部は図示していない。
【００５０】
本実施例において作成したＢ６サイズの上質紙（坪量５２．３ｇ／ｍ2）７８０枚（；１５６０ページ）からなる書籍を装着した書籍カバーは、図６に示す装置で試験した結果、座屈しないことが確認できた。
【００５１】
実施例２
本実施例では、Ａ６サイズ（１０５ｍｍ×１４８ｍｍ）の書籍について評価した以外は、実施例１と同様にして座屈の有無を確認した。ａ＝１０５＋３＋２５＝１３３ｍｍ、ａ＋ｂ＋ｄ＝１３３＋２５＋３＝１６１ｍｍ、ｈ＝１４８＋２５×２＋３×２＝２０４ｍｍであった。したがって、ｈｔ3／（ａ＋ｂ＋ｄ）2＝３．３２０×１０-3ｍｍ2となり、表表紙カバー部と裏表紙カバー部の２枚のシートがあるため、（式４）により設計上、Ｗ＝１０９１ｇとなる。
【００５２】
Ａ６サイズ（１０５ｍｍ×１４８ｍｍ）の上質紙（坪量７３．３ｇ／ｍ2）は、１．１３９ｇ／枚であるから、Ｗ＝１０９１ｇは、９５８枚（×２＝１９１６ページ）に相当する。したがって、Ａ６サイズの上質紙（坪量７３．３ｇ／ｍ2）９４０枚（；１８８０ページ）からなる書籍を作成し、上記の書籍カバーに装着した。なお、インデックスタブは取り付けなかった。
【００５３】
本実施例において作成したＡ６サイズの上質紙（坪量７３．３ｇ／ｍ2）９４０枚（；１８８０ページ）からなる書籍を装着した書籍カバーは、図６に示す装置で試験した結果、座屈しないことが確認できた。
【００５４】
実施例３
実施例１において、Ａ４サイズ（２１０ｍｍ×２９７ｍｍ）の書籍とし、引張弾性率Ｅ＝１５００ＭＰａ＝１５０ｋｇ／ｍｍ2、厚さｔ＝０．４５ｍｍ、ｂ＋ｄ＝３０ｍｍ、ｃ＋ｄ＝１０ｍｍに変更した以外は、実施例１と同様にして座屈の有無を確認した。ａ＝２１０＋３０＝２４０ｍｍ、ａ＋ｂ＋ｄ＝２４０＋３０＝２７０ｍｍ、ｈ＝１０×２＋２９７＝３１７ｍｍであった。ｈｔ3／（ａ＋ｂ＋ｄ）2＝３．９６３×１０-4ｍｍ2となり、表表紙カバー部と裏表紙カバー部の２枚のシートがあるため、（式４）により理論上では、Ｗ＝９７．７ｇとなる。
【００５５】
Ａ４サイズ（２１０ｍｍ×２９７ｍｍ）の薄手の上質紙（坪量５２．３ｇ／ｍ2）は、３．２６２ｇ／枚であるから、Ｗ＝９７．７ｇは、３０枚（×２＝６０ページ）に相当する。したがって、Ａ４サイズの上質紙（坪量５２．３ｇ／ｍ2）２５枚（；５０ページ）からなる書籍を作成し、上記の書籍カバーに装着した。なお、インデックスタブは取り付けなかった。
【００５６】
本実施例において作成したＡ４サイズの上質紙（坪量５２．３ｇ／ｍ2）２５枚（；５０ページ）からなる書籍を装着した書籍カバーは、図６に示す装置で試験した結果、座屈しないことが確認できた。
【産業上の利用可能性】
【００５７】
書籍に取り付けたインデックスタブを保護する機能が大きく、軽装でハンディーな書籍カバーを提供することができる。
【符号の説明】
【００５８】
１  書籍
２  表表紙用の内ポケット部
３  裏表紙用の内ポケット部
４，５，６，７  張り出し部
８，９  インデックスタブ
１０  書籍カバー
１０ａ，２０ａ  表表紙カバー部
１０ｂ  背表紙カバー部
１０ｃ，２０ｃ  裏表紙カバー部
２１  ケース部
６１  箱体
６２，６３  支え板
６４，６５，６６  仕切り板
【図１】
0005575051.tif 000007
【図２】
0005575051.tif 000008
【図３】
0005575051.tif 000009
【図４】
0005575051.tif 000010
【図５】
0005575051.tif 000011
【図６】
0005575051.tif 000012